(57)【要約】【課題】すでに屋根部材が構築されているものにあって、屋根に対して容易に取付け取外しができるようにし、コスト高になることなく、設置できるようにする。【解決手段】屋根Ｒにその傾斜に沿って配置される支持棒１０と、支持棒１０の途中に立設される支柱２０と、支持棒１０と支柱２０との間に架設される補強棒３０とを備え、屋根Ｒに着脱可能に付設されるとともに支持棒１０が着脱可能に取付けられる取付金具５０を備えた。また、取付金具５０を屋根Ｒに取付けられる雪止め金具４０に着脱可能に形成した。【選択図】　図１
2004068270.tif 000002
【特許請求の範囲】
【請求項１】
屋根にその傾斜に沿って配置される支持棒と、該支持棒の途中に立設される支柱と、上記支持棒と支柱との間に架設される補強棒とを備えた屋根作業用転落防止装置において、
上記屋根に着脱可能に付設されるとともに上記支持棒が着脱可能に取付けられる取付金具を備えたことを特徴とする屋根作業用転落防止装置。
【請求項２】
上記取付金具を、屋根に付設される付設部と、該付設部に設けられ上記支持棒を移動可能に保持する保持部と、該保持部に対して上記支持棒をロックするロック機構とを備えて構成したことを特徴とする請求項１記載の屋根作業用転落防止装置。
【請求項３】
上記保持部を上記支持棒が遊嵌する筒状に形成し、上記ロック機構を該保持部に設けられた雌ネジ部と、該雌ネジ部に螺合する雄ネジを備えネジ込まれて支持棒に係合するボルトとを備えて構成したことを特徴とする請求項２記載の屋根作業用転落防止装置。
【請求項４】
上記ボルトの先端に突起部を設け、上記支持棒に該突起部が係入する係入凹部を設けたことを特徴とする請求項３記載の屋根作業用転落防止装置。
【請求項５】
上記付設部を、屋根に取付けられる雪止め金具に着脱可能に形成したことを特徴とする請求項２，３または４記載の屋根作業用転落防止装置。
【請求項６】
屋根に取付けられる雪止め金具を付設部として構成したことを特徴とする請求項２，３または４記載の屋根作業用転落防止装置。
【請求項７】
上記支柱を支持棒に対して回動可能に設け、上記補強棒の一端を上記支柱及び支持棒のいずれか一方に回動可能に設け、上記補強棒の他端を上記支柱及び支持棒のいずれか他方に着脱可能にしたことを特徴とする請求項１，２，３，４，５または６記載の屋根作業用転落防止装置。
【発明の詳細な説明】
【０００１】
【発明の属する技術分野】
本発明は、建物の屋根に付設され所謂屋根葺き時や屋根の塗装時に作業者の屋根からの転落を防止するための屋根作業用転落防止装置に関する。
【０００２】
【従来の技術】
従来、この種の屋根作業用転落防止装置としては、例えば、特開平７−２９２９１０号公報に掲載されたものが知られている。
図１２及び図１３に示すように、この屋根作業用転落防止装置Ｓａは、屋根Ｒにその傾斜に沿って配置される支持棒１と、この支持棒１の途中に立設される支柱２と、支持棒１と支柱２との間に架設される補強棒３と、支持棒１の先端部に設けられたる木等の屋根材に釘等で固定される固定板４と、支持棒１の中間部に設けられ屋根面に接地される複数の安定板５とを備えている。
【０００３】
そして、例えば、図１３に示すように、木造家屋において、屋根Ｒに瓦や折板を構築する所謂屋根葺き時において、この屋根作業用転落防止装置Ｓａを用いるときは、この屋根作業用転落防止装置Ｓａを複数台用意し、屋根Ｒの縁方向に沿ってこれらを所定間隔で配置するとともに、各装置Ｓａをその固定板４において釘等でたる木等に固定する。
それから、支柱２間にパイプ６を架設し、このパイプ６に安全ネット７やシート（図示せず）を掛け渡す。
この状態で、屋根Ｒ上において、屋根葺きを行なう。この場合、作業員や、作業員が使用する工具、あるいは、屋根部材等が落下しても、安全ネット７に受けられるので、安全が確保される。
尚、屋根作業用転落防止装置Ｓａを接地した部位は、これを最後に外して、この部位に屋根部材を設けるようにしている。
【０００４】
【発明が解決しようとする課題】
ところで、この屋根作業用転落防止装置Ｓａにあっては、屋根葺きが終わってからの塗装を行なう際、あるいは、折板の場合等において数年経過後に、元の屋根面に新たに折板を重ねて葺く場合等の際、装置Ｓａをその固定板４において釘等でたる木等に固定しなければならないので、すでに屋根部材が構築されているものにあっては、そのまま取付けると釘穴が開いてしまって屋根Ｒを損傷してしまい、また、屋根Ｒを一部剥してからこの剥した部位に取付けてもやはり屋根Ｒを損傷することになって、その取付が実質的にできないという問題があった。
このため、建物周囲に足場を組んで、この足場に安全シートやネットを張設することも行なうが、地面から足場を組むので装置が大掛かりになり、それだけコスト高になってしまうという問題がある。
【０００５】
本発明は上記の問題点に鑑みてなされたもので、すでに屋根部材が構築されているものにあって、屋根に対して容易に取付け取外しができるようにし、コスト高になることなく、設置できるようにした屋根作業用転落防止装置を提供することを目的とする。
【０００６】
【課題を解決するための手段】
このような課題を解決するための本発明の技術的手段は、屋根にその傾斜に沿って配置される支持棒と、該支持棒の途中に立設される支柱と、上記支持棒と支柱との間に架設される補強棒とを備えた屋根作業用転落防止装置において、上記屋根に着脱可能に付設されるとともに上記支持棒が着脱可能に取付けられる取付金具を備えた構成としている。
【０００７】
これにより、例えば、建物の屋根に塗装を行なうときや、新たな折板を元の折板の上に被せて新しく屋根葺を行なうとき等は、例えば、屋根の縁方向に沿って本装置を所定間隔で配置するが、取付金具を屋根に付設し、それから、この取付金具に支持棒を取付ける。このため、従来のように、装置を釘等でたる木等に固定するものに比較して、屋根を損傷してしまうことがなく、屋根に対して容易に取付けて設置することができる。また、逐一、建物周囲に足場を組まなくても良くなり、それだけ施工コストを低減することができる。
【０００８】
そして、必要に応じ、上記取付金具を、屋根に付設される付設部と、該付設部に設けられ上記支持棒を移動可能に保持する保持部と、該保持部に対して上記支持棒をロックするロック機構とを備えて構成した。支持棒の移動を容易にして、設置位置を容易に可変にすることができ、そのため、取付け位置調整を容易にすることができる。また、取付け位置調整が容易なので、安全シートやネットの取付け用として用いるのみならず、命綱の固定用としても用いることができ、汎用性を増すことができる。
【０００９】
また、必要に応じ、上記保持部を上記支持棒が遊嵌する筒状に形成し、上記ロック機構を該保持部に設けられた雌ネジ部と、該雌ネジ部に螺合する雄ネジを備えネジ込まれて支持棒に係合するボルトとを備えて構成した。ボルトを用いたネジ機構なので機構を簡易にすることができる。
更に、必要に応じ、上記ボルトの先端に突起部を設け、上記支持棒に該突起部が係入する係入凹部を設けた構成とした。ボルトの突起部が係入凹部に係入するので、支持棒が容易に外れることがなく、確実に固定することができる。
【００１０】
更にまた、必要に応じ、上記付設部を、屋根に取付けられる雪止め金具に着脱可能に形成した。
また、必要に応じ、屋根に取付けられる雪止め金具を付設部として構成した。雪止め金具に取り付けるので、雪止め金具は屋根から突出していることから取付け易く、それだけ作業性を向上させることができる。
【００１１】
また、必要に応じ、上記支柱を支持棒に対して回動可能に設け、上記補強棒の一端を上記支柱及び支持棒のいずれか一方に回動可能に設け、上記補強棒の他端を上記支柱及び支持棒のいずれか他方に着脱可能にした。非使用時には、支柱及び補強棒を折畳んでおくことができるので、コンパクトにしておくことができる。
【００１２】
【発明の実施の形態】
以下、本発明の実施の形態に係る屋根作業用転落防止装置について説明する。尚、上記と同様のものには同一の符号を付して説明する。
図１乃至図６に示すように、本発明の実施の形態に係る屋根作業用転落防止装置Ｓは、屋根Ｒにその傾斜に沿って配置される支持棒１０と、支持棒１０の途中に立設される支柱２０と、支持棒１０と支柱２０との間に架設される補強棒３０とを備えて構成されている。
支柱２０は、支持棒１０に対して回動可能に設けられ、補強棒３０の一端が支柱２０及び支持棒１０のいずれか一方（実施の形態では支持棒１０）に回動可能に設けられ、補強棒３０の他端が支柱２０及び支持棒１０のいずれか他方（実施の形態では支持棒１０）に着脱可能になるよう構成されている。支持棒１０，支柱２０及び補強棒３０は、断面矩形筒状の金属製パイプで構成されている。
【００１３】
詳しくは、図２に示すように、支持棒１０の一端側の中間部にはコ字状の取付部材１１が溶接固定されており、取付部材１１には支軸１２が架設され、支柱２０はその下端部に設けた貫通孔が支軸１２に挿通されることにより、回動可能に支持棒１０に設けられている。これにより、支柱２０は支持棒１０に対して折畳可能になっている。
また、支持棒１０の一端にはコ字状の取付部材１３が溶接固定されており、取付部材１３には支軸１４が架設され、補強棒３０はその一端に設けた貫通孔が支軸１４に挿通されることにより、回動可能に支持棒１０に設けられている。これにより、補強棒３０は支持棒１０に対して折畳可能になっている。上記の支柱２０及び補強棒３０は折畳可能なので、非使用時にはコンパクトにしておくことができる。
【００１４】
また、支柱２０には、補強棒３０の他端が着脱可能に取着される取着部材２１が設けられている。取着部材２１は、図２に示すように、支柱２０にスライド可能に外嵌するスライド部材２２と、スライド部材２２に溶接固定され補強棒３０の他端が臨む断面コ字状の取付部材２３とを備えて構成され、補強棒３０の他端に設けた貫通孔と取付部材２３に設けた貫通孔にボルト２４を挿通してナット２５を締めつけることで、補強棒３０の他端は支柱２０に対して着脱可能に取着される。
２６はスライド部材２２にネジ込まれこのスライド部材２２を支柱２０に固定するためのボルトである。
【００１５】
そして、本装置Ｓには、屋根Ｒに設けられる周知の雪止め金具４０に着脱可能に付設されるとともに支持棒１０が着脱可能に取付けられる取付金具５０が備えられている。取付金具５０は、支持棒１０の支柱２０より他端側に一対設けられる。
雪止め金具４０は、屋根Ｒに着脱可能に取付けられ、例えば、折板タイプの屋根Ｒの傾斜に沿って形成される凸条Ｒａに挾着される挾着部４１と、屋根Ｒの傾斜方向に直交する面を有する止め板４２とを備えて構成されており、挾着部４１において、屋根Ｒに着脱可能になっている。
【００１６】
また、取付金具５０は、屋根Ｒに上記の雪止め金具４０を介して付設される付設部５１と、付設部５１に設けられ支持棒１０を移動可能に保持する保持部５２と、この保持部５２に対して支持棒１０をロックするロック機構６０とを備えて構成されている。
詳しくは、図３及び図４に示すように、付設部５１は、雪止め金具４０の止め板４２を挟んで対峙する一対の取付け板５３，５４と、一方の取付け板５３に設けられる一対のウエルドナット５５と、ウエルドナット５５に螺合して他方の取付け板５４とともに止め板４２を挾持する一対のボルト５６とを備えて構成されている。
また、保持部５２は、一対の取付け板５３，５４の面方向上側に設けられ、支持棒１０が遊嵌する筒状に形成されており、ロック機構６０は、保持部５２に設けられウエルドナット６１で形成された雌ネジ部と、雌ネジ部に螺合する雄ネジを備えネジ込まれて支持棒１０に係合するボルト６２とを備えて構成されている。
ボルト６２の先端には突起部６３が設けられている一方、支持棒１０には突起部６３が係入する係入凹部６４が所定間隔で複数設けられている。
【００１７】
従って、本実施の形態に係る屋根作業用転落防止装置Ｓを用い、例えば、図５及び図６に示すように、建物の折板タイプの屋根Ｒであって、その傾斜に沿って形成される凸条Ｒａに雪止め金具４０が予め取付けられているものにおいて、例えば、これに塗装を行なうときや、新たな折板を元の折板の上に被せて、新しく屋根葺を行なうときは、以下のようにして行なう。
【００１８】
先ず、支柱２０及び補強棒３０が折畳まれた本装置Ｓを組み立てる。この組み立てにおいては、図２に示すように、支持棒１０に対し支柱２０を回動させて起立させるとともに、補強棒３０も回動させ、支柱２０に取着部材２１を外嵌し、補強棒３０の他端に設けた貫通孔と取着部材２１の取付部材２３に設けた貫通孔にボルト２４を挿通してナット２５を締め付けて行なう。
【００１９】
次に、屋根Ｒの縁方向に沿って本装置Ｓを所定間隔で配置するが、そのために、先ず、図５及び図６に示すように、屋根Ｒの上方に命綱を張るために、本装置Ｓを屋根Ｒの上の方にいくつか取付ける。この場合、先ず、本装置Ｓの設置位置に対応する位置の傾斜方向に並設された一対の雪止め金具４０に、夫々、取付金具５０を取付ける。この取付においては、図３及び図４に示すように、その付設部５１を雪止め金具４０の止め板４２にボルト５６を締め付けて取付ける。
【００２０】
それから、この取付金具５０の保持部５２に支持棒１０を差し込み、支持棒１０の一端を屋根Ｒの頂部から上に突出させてこの保持部５２に対して支持棒１０をロック機構６０のボルト６２を締め付けることによりロックする。
このロック機構６０のロックにおいては、ボルト６２の突起部６３が支持棒１０のいずれかの係入凹部６４に係入されるようにする。
この場合、支持棒１０を取付金具５０の保持部５２に差し込んでスライドさせて、ボルト６２を締め付けるだけで、取付けることができるので、従来のように、釘を打ち込む場合に比較して、作業が容易に行なわれ、作業性が向上させられる。また、支持棒１０を移動させることができるので、取付け位置調整が容易に行なわれる。
また、雪止め金具４０に取付けるので、雪止め金具４０は屋根Ｒから突出していることから取付け易く、それだけ作業性が向上させられる。
【００２１】
次に、図５及び図６に示すように、上側に設けた本装置Ｓに、命綱（図示せず）を巻掛け、この命綱を利用して屋根Ｒの下側であって屋根Ｒの縁方向に沿って本装置Ｓを所定間隔で配置する。この場合も、先ず、本装置Ｓの設置位置に対応する位置の傾斜方向に並設された一対の雪止め金具４０に、夫々、取付金具５０を取付ける。この取付においては、図３及び図４に示すように、その付設部５１を雪止め金具４０の止め板４２にボルト５６を締め付けて取付ける。
【００２２】
それから、この取付金具５０の保持部５２に支持棒１０を差し込み、支持棒１０の一端を軒先より突出させてこの保持部５２に対して支持棒１０をロック機構６０のボルト６２を締め付けることによりロックする。
このロック機構６０のロックにおいては、ボルト６２の突起部６３が支持棒１０のいずれかの係入凹部６４に係入されるようにする。
この場合、支持棒１０を取付金具５０の保持部５２に差し込んでスライドさせて、ボルト６２を締め付けるだけで、取付けることができるので、従来のように、釘を打ち込む場合に比較して、作業が容易に行なわれ、作業性が向上させられる。また、雪止め金具４０に取付けるので、雪止め金具４０が屋根Ｒから突出していることから取付け易く、それだけ作業性が向上させられる。
【００２３】
それから、図１及び図６に示すように、支柱２０間に取付部材７０（図１）を介してパイプ７１を架設し、このパイプ７１に安全ネット７２やシート（図示せず）を掛け渡す。
また、支持棒１０及び補強棒３０にロープが引き通されるリング部を有したボルト７３ａを備えたロープ受金具７３を取付け、このロープ受金具７３のリング部にロープ（図示せず）を引き通して各転落防止装置Ｓ間にロープを２条に張り渡し、この２条のロープ間に別の安全ネット７４やシート（図示せず）を掛け渡す。
この状態で、先ず、本装置Ｓの間において、例えば、塗装の際には塗装を行ない、屋根葺のときは、新たな折板を元の折板の上に被せる作業を行なう。
この際、作業員や、作業員が使用する工具、あるいは、屋根部材等が落下しても、安全ネット７２，７４に受けられるので、安全が確保される。この場合、支持棒１０は、取付金具５０に取付けられ、しかも、ロック機構６０のボルト６２が係入凹部６４に係入しているので、容易に外れることがなく、確実に、固定されて安全が図られる。
【００２４】
次に、本装置Ｓの間の作業が終わったならば、雪止め金具４０を外して、近傍の凸条Ｒａのところに移す。あるいは、新たに、雪止め金具４０を、近傍の凸条Ｒａに取付け、上記と同様に、この新たな雪止め金具４０のところに本装置Ｓを移す。固定は上記と同様に行なう。
そして、今まで本装置Ｓが取付けられていたところを開放し、再び、この開放された部位に対して、例えば、塗装の際には塗装を行ない、屋根葺のときは、新たな折板を元の折板の上に被せる作業を行なう。
この場合も、作業員や、作業員が使用する工具、あるいは、屋根部材等が落下しても、安全ネット７２，７４に受けられるので、安全が確保される。
【００２５】
このため、従来のように、装置を釘等でたる木等に固定するものに比較して、屋根Ｒを損傷してしまうことがなく、屋根Ｒに対して容易に取付けて設置することができる。また、逐一、建物周囲に足場を組まなくても良くなり、それだけ施工コストが低減される。
そして、作業が終わったならば、屋根Ｒに、雪止め金具４０をそのまま残しておけば良い。そのため、雪止め金具４０の取付けも兼用することになるので、それだけ作業効率が良いものとなる。
尚、予め、雪止め金具４０が付いていない屋根Ｒにおいては、これを新たに用意すれば良い。
【００２６】
図７及び図８には、本発明の実施の形態に係る屋根作業用転落防止装置Ｓの取付金具５０の変形例を示している。これは、上記取付金具５０と略同様に構成され、上記と異なる点は、付設部５１の一方の取付け板５３の外側面に、上記と同様の別の保持部５２を設けている。保持部５２は支持棒１０が遊嵌する筒状に形成されており、ロック機構６０は、保持部５２に設けられウエルドナット６１で形成された雌ネジ部と、雌ネジ部に螺合する雄ネジを備えネジ込まれて支持棒１０に係合するボルト６２とを備えて構成されている。即ち、保持部５２が９０°位相をずらせて一対設けられている。これにより、付設部５１を、屋根に取付けられる断面Ｌ字状の雪止め機能のあるアングル部材４５に着脱可能になるようにしている。
【００２７】
従って、この屋根作業用転落防止装置Ｓの取付け金具５０を取付けるときは、雪止め金具４０の場合には上記と同様にし、図７及び図８に示すように、断面Ｌ字状のアングル部材４５の場合には、取付金具５０を９０°回転させて、一対の取付け板５３，５４間にアングル部材４５の一方の板部分を挟みボルト５６を締め付けて取付ける。
それから、この取付金具５０の保持部５２に支持棒１０を差し込み、この保持部５２に対して支持棒１０をロック機構６０のボルト６２を締め付けることによりロックする。
そのため、雪止め金具４０のみならずアングル部材４５にも取付け可能になるので、汎用性が増加させられる。その他の作用，効果は上記と同様である。
【００２８】
図９には、本発明の実施の形態に係る屋根作業用転落防止装置Ｓの取付金具５０の別の例を示している。これは、上記と異なって、屋根Ｒに取付けられる雪止め金具４０を付設部５１として構成したものである。即ち、取付金具５０は、雪止め金具４０に溶接されるベース部材７５を備え、このベース部材７５に支持棒１０を移動可能に保持する保持部５２と、この保持部５２に対して支持棒１０をロックするロック機構６０とを備えて構成されている。
従って、この取付金具５０によれば、取付金具５０の取付け取外しは、雪止め金具４０を取付け取外すことで行なうようにする。そして、作業が終わったならば、屋根Ｒに、雪止め金具４０をそのまま残しておけば良い。この場合、次に再び、本装置Ｓを設置するときは、既存の雪止め金具４０に支持棒１０を差し込んで固定するだけで良くなる。
その他の作用，効果は上記と同様である。
尚、雪止め金具４０も、錆等の経年変化があるので、できるだけ新しいものが良く、屋根Ｒの葺替えの際等には交換するのが望ましい。
【００２９】
図１０には、本発明の実施の形態に係る屋根作業用転落防止装置Ｓの取付金具５０のまた別の例を示している。これは、上記と異なって、屋根Ｒに取付けられる雪止め金具４０を利用するものではなく、直接屋根Ｒの凸条Ｒａに取りつけるタイプのものである。即ち、取付金具５０は、凸条Ｒａに取付けられる付設部５１と、この付設部５１に設けられ支持棒１０を移動可能に保持する保持部５２と、この保持部５２に対して支持棒１０をロックするロック機構６０とを備えて構成されている。
詳しくは、付設部５１は、屋根Ｒの凸条Ｒａを挟んで対峙する一対の取付け板７６，７６と、一方の取付け板７６に設けられるウエルドナット７７と、ウエルドナット７７に螺合して他方の取付け板７６とともに凸条Ｒａを挾持するボルト７８とを備えて構成されている。
この取付金具５０によれば、屋根Ｒの凸条Ｒａに直接取付けられ、汎用性が向上させられる。その他の作用，効果は上記と略同様である。
【００３０】
図１１には、本装置Ｓに必要に応じて設けられる安定部材８０を示している。これは、屋根面に接地される接地板８１と、接地板８１に設けられ支持棒１０を移動可能に保持する保持部８２と、この保持部８２に対して支持棒１０をロックするロック機構８３とを備えて構成されている。保持部８２は、支持棒１０が遊嵌する筒状に形成されており、ロック機構８３は、保持部８２に設けられウエルドナット８４で形成された雌ネジ部と、雌ネジ部に螺合する雄ネジを備えネジ込まれて支持棒１０に係合するボルト８５とを備えて構成されている。
ボルト８５の先端には突起部８６が設けられており、支持棒１０に設けた上記の係入凹部６４に係入可能になっている。
この安定部材８０は、本装置Ｓを平面に設置するとき等に用いられる。この場合、支持棒１０は、例えばその一端がボルト等の別の手段で、固定される。
【００３１】
【発明の効果】
以上説明したように、本発明の屋根作業用転落防止装置によれば、屋根に着脱可能に付設されるとともに支持棒が着脱可能に取付けられる取付金具を備えたので、従来のように、装置を釘等でたる木等に固定するものに比較して、屋根を損傷してしまうことがなく、屋根に対して容易に取付けて設置することができる。また、逐一、建物周囲に足場を組まなくても良くなり、それだけ施工コストを低減することができる。
【００３２】
また、取付金具を、屋根に付設される支持棒を移動可能に保持してロック機構でロックする場合には、支持棒の移動を容易にして、設置位置を容易に可変にすることができ、そのため、取付け位置調整を容易にすることができる。また、取付け位置調整が容易なので、安全シートやネットの取付け用として用いるのみならず、命綱の固定用としても用いることができ、汎用性を増すことができる。
【００３３】
更に、保持部を支持棒が遊嵌する筒状に形成し、ロック機構を保持部に設けられた雌ネジ部と、雌ネジ部に螺合する雄ネジを備えネジ込まれて支持棒に係合するボルトとを備えて構成した場合には、ボルトを用いたネジ機構なので機構を簡易にすることができる。
【００３４】
更にまた、ボルトの先端に突起部を設け、支持棒に突起部が係入する係入凹部を設けた場合には、ボルトの突起部が係入凹部に係入するので、支持棒が容易に外れることがなく、確実に固定することができる。
また、付設部を、屋根に取付けられる雪止め金具に着脱可能に形成した場合、あるいは、屋根に取付けられる雪止め金具を付設部として構成した場合には、雪止め金具に取り付けるので、雪止め金具は屋根から突出していることから取付け易く、それだけ作業性を向上させることができる。
【００３５】
また、支柱及び補強棒を支持棒に対して回動可能に設けた場合には、非使用時には、支柱及び補強棒を折畳んでおくことができるので、コンパクトにしておくことができる。
【図面の簡単な説明】
【図１】本発明の実施の形態に係る屋根作業用転落防止装置をその取付け状態で示す斜視図である。
【図２】本発明の実施の形態に係る屋根作業用転落防止装置の要部を示す部分斜視図である。
【図３】本発明の実施の形態に係る屋根作業用転落防止装置の取付金具を雪止め金具との関係で示す斜視図である。
【図４】本発明の実施の形態に係る屋根作業用転落防止装置の取付け状態を示す断面図である。
【図５】本発明の実施の形態に係る屋根作業用転落防止装置の屋根工事における設置例を示す斜視図である。
【図６】本発明の実施の形態に係る屋根作業用転落防止装置の屋根工事における設置例を示す断面図である。
【図７】本発明の実施の形態に係る屋根作業用転落防止装置の取付金具の変形例を示す斜視図である。
【図８】本発明の実施の形態に係る屋根作業用転落防止装置の取付金具の変形例における取付状態を示す断面図である。
【図９】本発明の実施の形態に係る屋根作業用転落防止装置の取付金具の別の例を示す斜視図である。
【図１０】本発明の実施の形態に係る屋根作業用転落防止装置の取付金具のまた別の例を示す斜視図である。
【図１１】本発明の実施の形態に係る屋根作業用転落防止装置に必要に応じて設けられる安定部材を示す斜視図である。
【図１２】従来の屋根作業用転落防止装置の一例を示す斜視図である。
【図１３】従来の屋根作業用転落防止装置の屋根工事おける設置例を示す図である。
【符号の説明】
Ｓ　屋根作業用転落防止装置
Ｒ　屋根
Ｒａ　凸条
１０　支持棒
１１　取付部材
１２　支軸
１３　取付部材
１４　支軸
２０　支柱
２１　取着部材
２２　スライド部材
２３　取付部材
２４　ボルト
２５　ナット
２６　ボルト
３０　補強棒
４０　雪止め金具
４１　挾着部
４２　止め板
４５　アングル部材
５０　取付金具
５１　付設部
５２　保持部
５３，５４　取付け板
５５　ウエルドナット
５６　ボルト
６０　ロック機構
６１　ウエルドナット（雌ネジ部）
６２　ボルト
６３　突起部
６４　係入凹部
７０　取付部材
７１　パイプ
７２　安全ネット
７３　ロープ受金具
７４　安全ネット
７５　ベース部材
７６　取付け板
７７　ウエルドナット
７８　ボルト
８０　安定部材
８１　接地板
８２　保持部
８３　ロック機構
８４　ウエルドナット
８５　ボルト
８６　突起部
【図１】
2004068270.tif 000003
【図２】
2004068270.tif 000004
【図３】
2004068270.tif 000005
【図４】
2004068270.tif 000006
【図５】
2004068270.tif 000007
【図６】
2004068270.tif 000008
【図７】
2004068270.tif 000009
【図８】
2004068270.tif 000010
【図９】
2004068270.tif 000011
【図１０】
2004068270.tif 000012
【図１１】
2004068270.tif 000013
【図１２】
2004068270.tif 000014
【図１３】
2004068270.tif 000015